(57)【特許請求の範囲】
【請求項１】
平面視矩形状のキートップ部と、
前記キートップ部の周縁に設けられたスカート部と、
前記スカート部内で前記キートップ部から突き出し、前記キートップ部の長辺方向に沿って凸設された接点部と、
前記スカート部内で前記キートップ部から前記接点部よりも高く突き出し、前記キートップ部の短辺方向の一端側において前記キートップ部の長辺方向に沿って凸設された支持部を備え、
前記接点部は、
前記キートップ部の長辺方向の両端から前記キートップ部の長辺方向の中央に近づくに連れて突出高さが低く形成され、
前記スカート部を基板上に定着させた状態で前記キートップ部が押下されたときに前記基板に当接し、
前記接点部が前記基板に当接する際は、前記支持部が前記基板に当接した点を可動支点として前記接点部が移動し、
前記キートップ部の長辺方向に沿って列設された複数の凸設部で前記接点部が構成され、
前記複数の凸設部は、前記キートップ部の長辺方向に沿った突出高さが個々で均一であり、
前記キートップの短辺方向の一端側よりも前記キートップの短辺方向の他端側で前記キートップの表面から前記基板までの最短距離が長く構成されたこと、を特徴するゴム製キー。
【請求項２】
ゴム製キーであって、
第１キーと、
第２キーを備え、
前記第１キーは、
長辺と短辺を有する平面視矩形状の第１キートップ部と、
前記第１キートップ部の周縁に設けられた第１スカート部と、
前記第１スカート部内で前記第１キートップ部から突き出し、前記第１キートップ部の長辺方向に沿って凸設された第１接点部を備え、
前記第２キーは、
第１辺と第２辺を有する平面視正方形状であり、前記第１辺は前記第１キートップ部の長辺と平行であり、前記第２辺は前記第１キートップ部の短辺と平行である第２キートップ部と、
前記第２キートップの周縁に設けられた第２スカート部と、
前記第２スカート部内で前記第２キートップ部から突き出し、前記第２キートップ部の第１辺方向に沿って凸設された第２接点部を備え、
前記第１キーの前記第１スカート部の下端と前記第２キーの前記第２スカート部の下端を連結して形成される面を仮想面とし、
前記第１キートップ部の長辺方向において、前記第１キートップ部の中央により近い部位における、前記仮想面から前記第１接点部までの最短距離を第１距離とし、
前記第１キートップ部の長辺方向において、前記第１キートップ部の端により近い部位における、前記仮想面から前記第１接点部までの最短距離を第２距離とすると、
前記第１距離は前記第２距離より長く、
前記第１キートップ部の長辺方向における前記第１キートップ部の端により近い部位に設けられた前記第１接点部の第１キートップ部からの突出高さと、前記第２接点部の前記第２キートップ部からの突出高さとが等しく、
前記第１キートップ部から前記仮想面までの距離は、前記第２キートップ部から仮想面までの距離に等しいこと、
を特徴とするゴム製キー。
【請求項３】
請求項２に記載するゴム製キーであって、
前記第１キーは、
前記第１スカート部内で前記第１キートップ部から前記第１接点部よりも高く突き出し、前記第１キートップ部の長辺方向に沿って凸設された支持部を備えたこと、を特徴とするゴム製キー。
【請求項４】
請求項２又は請求項３に記載するゴム製キーであって、
前記第１キートップ部の長辺方向に沿って列設された複数の凸設部で前記第１接点部が構成されたこと、を特徴とするゴム製キー。
【請求項５】
請求項４に記載するゴム製キーであって、
前記複数の凸設部は、前記第１キートップ部の長辺方向に沿った突出高さが個々で均一であること、を特徴するゴム製キー。
【発明の詳細な説明】
【技術分野】
【０００１】
本発明は、平面視矩形状のキートップ部を有するゴム製キーに関するものである。
【背景技術】
【０００２】
下記特許文献１には、正確に動作するとともに斜めに押されたときの許容度が大きい二段押しボタンが記載されている。二段押しボタンは、剛体のキャップの一例である金属キャップを備えている。よって、金属ボタンが押下された際は、金属ボタンのどの部分が押下されても、金属キャップの全体が沈み込むことから、良好なクリック感を出すことができる。
【先行技術文献】
【特許文献】
【０００３】
【特許文献１】特開２００１−３１８４１４号公報
【発明の概要】
【発明が解決しようとする課題】
【０００４】
しかしながら、平面視矩形状のキートップ部を有するゴム製キーにおいては、平面視矩形状のキートップ部が剛体でない場合には、キートップ部が押下されると、キートップ部が変形し、押下された箇所によっては良好なクリック感が出ないことがあった。
【０００５】
そこで、本発明は、上述した点を鑑みてなされたものであり、平面視矩形状のキートップ部のどの部分が押下されても良好なクリック感を出すことができるゴム製キーを提供することを課題とする。
【課題を解決するための手段】
【０００６】
この課題を解決するためになされた請求項１に係る発明は、ゴム製キーであって、平面視矩形状のキートップ部と、前記キートップ部の周縁に設けられたスカート部と、前記スカート部内で前記キートップ部から突き出し、前記キートップ部の長辺方向に沿って凸設された接点部と、前記スカート部内で前記キートップ部から前記接点部よりも高く突き出し、前記キートップ部の短辺方向の一端側において前記キートップ部の長辺方向に沿って凸設された支持部を備え、前記接点部は、前記キートップ部の長辺方向の両端から前記キートップ部の長辺方向の中央に近づくに連れて突出高さが低く形成され、前記スカート部を基板上に定着させた状態で前記キートップ部が押下されたときに前記基板に当接し、前記接点部が前記基板に当接する際は、前記支持部が前記基板に当接した点を可動支点として前記接点部が移動し、前記キートップ部の長辺方向に沿って列設された複数の凸設部で前記接点部が構成され、前記複数の凸設部は、前記キートップ部の長辺方向に沿った突出高さが個々で均一であり、前記キートップの短辺方向の一端側よりも前記キートップの短辺方向の他端側で前記キートップの表面から前記基板までの最短距離が長く構成されたこと、を特徴する。
【０００７】
また、請求項２に係る発明は、ゴム製キーであって、第１キーと、第２キーを備え、前記第１キーは、長辺と短辺を有する平面視矩形状の第１キートップ部と、前記第１キートップ部の周縁に設けられた第１スカート部と、前記第１スカート部内で前記第１キートップ部から突き出し、前記第１キートップ部の長辺方向に沿って凸設された第１接点部を備え、前記第２キーは、第１辺と第２辺を有する平面視正方形状であり、前記第１辺は前記第１キートップ部の長辺と平行であり、前記第２辺は前記第１キートップ部の短辺と平行である第２キートップ部と、前記第２キートップの周縁に設けられた第２スカート部と、前記第２スカート部内で前記第２キートップ部から突き出し、前記第２キートップ部の第１辺方向に沿って凸設された第２接点部を備え、前記第１キーの前記第１スカート部の下端と前記第２キーの前記第２スカート部の下端を連結して形成される面を仮想面とし、前記第１キートップ部の長辺方向において、前記第１キートップ部の中央により近い部位における、前記仮想面から前記第１接点部までの最短距離を第１距離とし、前記第１キートップ部の長辺方向において、前記第１キートップ部の端により近い部位における、前記仮想面から前記第１接点部までの最短距離を第２距離とすると、前記第１距離は前記第２距離より長く、前記第１キートップ部の長辺方向における前記第１キートップ部の端により近い部位に設けられた前記第１接点部の第１キートップ部からの突出高さと、前記第２接点部の前記第２キートップ部からの突出高さとが等しく、前記第１キートップ部から前記仮想面までの距離は、前記第２キートップ部から仮想面までの距離に等しいこと、を特徴とする。
【０００８】
また、請求項３に係る発明は、請求項２に記載するゴム製キーであって、前記第１キーは、前記第１スカート部内で前記第１キートップ部から前記第１接点部よりも高く突き出し、前記第１キートップ部の長辺方向に沿って凸設された支持部を備えたこと、を特徴とする。
【０００９】
また、請求項４に係る発明は、請求項２又は請求項３に記載するゴム製キーであって、前記第１キートップ部の長辺方向に沿って列設された複数の凸設部で前記第１接点部が構成されたこと、を特徴する。
また、請求項５に係る発明は、請求項４に記載するゴム製キーであって、前記複数の凸設部は、前記第１キートップ部の長辺方向に沿った突出高さが個々で均一であること、を特徴する。
【発明の効果】
【００１０】
すなわち、本発明のゴム製キーでは、スカート部を基板上に定着させた状態でキートップ部が押下されたときは、キートップ部から突き出した接点部が移動して基板に当接する。この点、接点部の突出高さは、平面視矩形状のキートップ部の長辺方向の両端から中央に近づくに連れて低く形成される。つまり、一つのゴム製キーの中で接点部の高さが変えられている。従って、基板に対する接点部の移動距離は、平面視矩形状のキートップ部の長辺方向の両端から中央に近づくに連れて長くなる。そのため、平面視矩形状のキートップ部の長辺方向の端が押下された場合だけでなく、平面視矩形状のキートップ部の長辺方向の中央が押下された場合でも、平面視矩形状のキートップ部の長辺方向の端周縁に設けられたスカート部が座屈するので、平面視矩形状のキートップ部が押下されたときのクリック感が良好となる。つまり、本発明のゴム製キーでは、平面視矩形状のキートップ部のどの部分が押下されても良好なクリック感を出すことができる。
【００１１】
また、本発明のゴム製キーにおいて、スカート部内でキートップ部から接点部よりも高く突き出し、平面視矩形状のキートップ部の長辺方向に沿って凸設された支持部を備えた場合には、キートップ部が押下されると、先ず、支持部が基板に当接する。次に、支持部が基板に当接した点を可動支点として接点部が移動し、接点部が基板に当接する。つまり、本発明のゴム製キーは、上記支持部を有することにより、所謂ピアノキーとなるが、上述した効果の発揮が妨げられることはない。
【００１２】
尚、本発明のゴム製キーでは、平面視矩形状のキートップ部の長辺方向に沿って列設された複数の凸設部で上記接点部が構成されてもよい。
【００１３】
さらに、上記接点部を構成する複数の凸設部におけるキートップ部の長辺方向に沿った突出高さを個々で均一にすることで、平面視矩形状のキートップ部の長辺方向の両端から中央に近づくに連れて、上記接点部の突出高さを低く形成させてもよい。
【図面の簡単な説明】
【００１４】
【図１】ラバーキーシートが表側から表された平面図である。
【図２】ラバーキーシートが裏側から表された平面図である。
【図３】図１の線Ａ−Ａで一部が切断されたラバーキーシートの断面図である。
【図４】図１の線Ｂ−Ｂで一部が切断されたラバーキーシートの断面図であって、本発明の一実施形態に係るゴム製キーの断面図である。
【発明を実施するための形態】
【００１５】
［１．本発明の構成］
図１や図２に表されたように、ラバーキーシート１０１には、本発明の一実施形態に係るゴム製キー１を含んだ複数のラバーキーが設けられる。本実施形態に係るゴム製キー１は、キートップ部２とスカート部３とを有する。キートップ部２は、平面視矩形状である。スカート部３は、キートップ部２の周縁に設けられる。さらに、スカート部３は、図３及び図４に表されたように、基板１０２上に定着される。尚、スカート部３の周縁に設けられるとともにキー同士を連結するベース部分が、基板１０２に載上される。
【００１６】
また、図２乃至図４に表されたように、本実施形態に係るゴム製キー１は、接点部４と支持部５とを有する。接点部４は、第１凸設部４Ａ、第２凸設部４Ｂ、及び第３凸設部４Ｃから構成される。第１凸設部４Ａ、第２凸設部４Ｂ、及び第３凸設部４Ｃは、スカート部３内でキートップ部２から突き出し、キートップ部２の長辺方向Ｄ１（図４参照）に沿って、凸状に設けられたものである。つまり、第１凸設部４Ａ、第２凸設部４Ｂ、及び第３凸設部４Ｃは、平面視矩形状であるキートップ部２の一方（図２下側）の長辺に沿って一列に設けられる。
【００１７】
第１凸設部４Ａと第３凸設部４Ｃは、キートップ部２の長辺方向Ｄ１の両側にある。第１凸設部４Ａの突出高さＡＨは、キートップ部２の長辺方向Ｄ１に沿って均一である。第３凸設部４Ｃの突出高さＣＨも、キートップ部２の長辺方向Ｄ１に沿って均一である。さらに、第１凸設部４Ａの突出高さＡＨと第３凸設部４Ｃの突出高さＣＨは同じ高さである。
【００１８】
第２凸設部４Ｂは、キートップ部２の長辺方向Ｄ１の中央にある。第２凸設部４Ｂの突出高さＢＨは、キートップ部２の長辺方向Ｄ１に沿って均一である。さらに、第２凸設部４Ｂの突出高さＢＨは、第１凸設部４Ａの突出高さＡＨと第３凸設部４Ｃの突出高さＣＨとに比べて低い。
【００１９】
第１凸設部４Ａ、第２凸設部４Ｂ、及び第３凸設部４Ｃから構成される接点部４の突出高さは、このようにして、キートップ部２の長辺方向Ｄ１の両端からキートップ部２の長辺方向Ｄ１の中央線Ｄ２（図４参照）に近づくに連れて低く形成される。
【００２０】
尚、接点部４を構成する第１凸設部４Ａ、第２凸設部４Ｂ、及び第３凸設部４Ｃの各先端は、カーボンが印刷され、導電部を形成する。
【００２１】
支持部５は、スカート部３内でキートップ部２から突き出し、キートップ部２の長辺方向Ｄ１に沿って、凸状に設けられたものである。支持部５は、接点部４を構成する第１凸設部４Ａ、第２凸設部４Ｂ、及び第３凸設部４Ｃとは平行にある。つまり、支持部５は、平面視矩形状であるキートップ部２の他方の長辺（図２上側）に沿って線状に設けられる。
【００２２】
支持部５の突出高さＨ５（図３参照）は、キートップ部２の長辺方向Ｄ１に沿って均一である。支持部５の突出高さＨ５は、接点部４を構成する第１凸設部４Ａ、第２凸設部４Ｂ、及び第３凸設部４Ｃのいずれの突出高さＡＨ，ＢＨ，ＣＨよりも高い。
【００２３】
もっとも、キートップ部２の底面は、ほぼ平らである。従って、キートップ部２の底面から基板１０２までの最短距離（間隔）は、キートップ部２の底面のいずれの箇所においても、ほぼ同じである。さらに、接点部４から基板１０２までの最短距離（間隔）については、第２凸設部４Ｂが、第１凸設部４Ａと第３凸設部４Ｃとに比べて長い。
【００２４】
尚、ゴム製キー１は、カーボン印刷の部分を除き、単一のゴムでできており、その固さの違いは厚みの違いによる。
【００２５】
［２．本発明の作用・効果］
本実施形態に係るゴム製キー１において、キートップ部２が押下されると、先ず、支持部５が基板１０２に当接する。次に、支持部５が基板１０２に当接した点を可動支点として、接点部４を構成する第１凸設部４Ａ、第２凸設部４Ｂ、及び第３凸設部４Ｃが移動し、接点部４を構成する第１凸設部４Ａ、第２凸設部４Ｂ、及び第３凸設部４Ｃが基板１０２に当接する。つまり、本実施形態に係るゴム製キー１は、所謂ピアノキーである。
【００２６】
図４に表されたように、本実施形態に係るゴム製キー１では、スカート部３を基板１０２上に定着させた状態でキートップ部２が押下されたときは、キートップ部２から突き出した接点部４、すなわち、第１凸設部４Ａ、第２凸設部４Ｂ、及び第３凸設部４Ｃが移動して基板１０２に当接する。
【００２７】
この点、第１凸設部４Ａ、第２凸設部４Ｂ、及び第３凸設部４Ｃから構成される接点部４の突出高さは、平面視矩形状のキートップ部２の長辺方向Ｄ１の両端から平面視矩形状のキートップ部２の長辺方向Ｄ１の中央線Ｄ２に近づくに連れて低く形成される。つまり、一つのゴム製キー１の中で接点部４の高さが変えられている。
【００２８】
従って、接点部４を構成する第１凸設部４Ａ、第２凸設部４Ｂ、及び第３凸設部４Ｃの基板１０２までの各移動距離は、平面視矩形状のキートップ部２の長辺方向Ｄ１の両端から平面視矩形状のキートップ部２の長辺方向Ｄ１の中央線Ｄ２に近づくに連れて長くなる。
【００２９】
そのため、平面視矩形状のキートップ部２の長辺方向Ｄ１の端が押下された場合だけでなく、平面視矩形状のキートップ部２の長辺方向Ｄ１の中央が押下された場合でも、図４に表されたように、平面視矩形状のキートップ部２の長辺方向Ｄ１の両端周縁に設けられたスカート部３が座屈するので、平面視矩形状のキートップ部２が押下されたときのクリック感が良好となる。
【００３０】
つまり、本実施形態に係るゴム製キー１では、平面視矩形状のキートップ部２のどの部分が押下されても良好なクリック感を出すことができる。
【００３１】
［３．その他］
尚、本発明は上記実施形態に限定されるものでなく、その趣旨を逸脱しない範囲で様々な変更が可能である。
【００３２】
［３−１．接点部の構成その１］
例えば、４個以上の凸設部で接点部４を構成することによって、接点部４の突出高さを、平面視矩形状のキートップ部２の長辺方向Ｄ１の両端から平面視矩形状のキートップ部２の長辺方向Ｄ１の中央線Ｄ２に近づくに連れて低く形成させてもよい。
【００３３】
［３−２．接点部の構成その２］
また、１個の凸設部で接点部４を構成することによって、接点部４の突出高さを、平面視矩形状のキートップ部２の長辺方向Ｄ１の両端から平面視矩形状のキートップ部２の長辺方向Ｄ１の中央線Ｄ２に近づくに連れて低く形成させてもよい。
【００３４】
［３−３．支持部の構成］
また、キートップ部２の非押下・押下の状態に関係なく、常に、支持部５が基板１０２に当接されていてもよい。
【００３５】
［３−４．クリック感の統一］
また、本実施形態に係るゴム製キー１のクリック感は、ラバーキーシート１０１の他のラバーキーのクリック感と同じにすることができる。以下、本実施形態に係るゴム製キー１のクリック感を、図１乃至図３に表されたラバーキー１１のクリック感と同じにする場合を説明する。
【００３６】
図１乃至図３に表されたラバーキー１１は、本実施形態に係るゴム製キー１に隣接するラバーキーであって、キートップ部１２とスカート部１３とを有する。キートップ部１２は、平面視略正方形状である。スカート部１３は、キートップ部１２の周縁に設けられる。さらに、スカート部１３は、図３に表されたように、基板１０２上に定着される。尚、スカート部１３の周縁に設けられるとともにキー同士を連結するベース部分が、基板１０２に載上される。
【００３７】
また、図２及び図３に表されたように、ラバーキー１１は、接点部１４と支持部１５とを有する。接点部１４は、スカート部１３内でキートップ部１２から突き出し、キートップ部１２の下辺（図２下側）に沿って、凸状且つ線状に設けられる。接点部１４の突出高さ１４Ｈは、キートップ部１２の下辺（図２下側）に沿って均一である。尚、接点部１４の先端は、カーボンが印刷され、導電部を形成する。
【００３８】
支持部１５は、スカート部１３内でキートップ部１２から突き出し、キートップ部１２の上辺（図２上側）に沿って、凸状且つ線状に設けられる。つまり、支持部１５は、接点部１４とは平行にある。支持部１５の突出高さ１５Ｈは、キートップ部１２の上辺（図２上側）に沿って均一である。支持部１５の突出高さ１５Ｈは、接点部１４の突出高さ１４Ｈよりも高い。
【００３９】
ラバーキー１１において、キートップ部１２が押下されると、先ず、支持部１５が基板１０２に当接する。次に、支持部１５が基板１０２に当接した点を可動支点として、接点部１４が移動し、接点部１４が基板１０２に当接する。つまり、ラバーキー１１は、本実施形態に係るゴム製キー１と同様にして、所謂ピアノキーである。
【００４０】
そして、本実施形態に係るゴム製キー１のクリック感を、ラバーキー１１のクリック感と同じにするためには、本実施形態に係るゴム製キー１における第１凸設部４Ａの突出高さＡＨと第３凸設部４Ｃの突出高さＣＨをラバーキー１１における接点部１４の突出高さ１４Ｈと同じ高さにする。
【００４１】
つまり、本実施形態に係るゴム製キー１において、平面視矩形状のキートップ部２の長辺方向Ｄ１の両側にある第１凸設部４Ａと第３凸設部４Ｃの各突出高さＡＨ，ＣＨを、ラバーキー１１における接点部１４の突出高さ１４Ｈと同じ高さにすればよい。
【００４２】
但し、本実施形態に係るゴム製キー１におけるキートップ部２から基板１０２までの距離とラバーキー１１におけるキートップ部１２から基板１０２までの距離とが等しいこと、且つ、本実施形態に係るゴム製キー１における支持部５の突出高さ５Ｈとラバーキー１１における支持部１５の突出高さ１５Ｈとが同じ高さであることを条件とする。
【００４３】
尚、ラバーキー１１は、カーボン印刷の部分を除き、本実施形態に係るゴム製キー１と同じ単一のゴムでできており、その固さの違いは厚みの違いによる。
【００４４】
［３−４．支持部の省略］
また、本実施形態に係るゴム製キー１では、所謂ピアノキーの構成でなくても、つまり、支持部５を省いた構成でも、平面視矩形状のキートップ部２のどの部分が押下されても良好なクリック感を出すことができる。
【符号の説明】
【００４５】
１    ゴム製キー
２    キートップ部
３    スカート部
４    接点部
４Ａ 第１凸設部
４Ｂ 第２凸設部
４Ｃ  第３凸設部
５    支持部
１０２  基板
Ｄ１  キートップ部の長辺方向
Ｄ２  キートップ部の長辺方向の中央線
Ｈ５  支持部の突出高さ
ＨＡ 第１凸設部の突出高さ
ＨＢ 第２凸設部の突出高さ
ＨＣ  第３凸設部の突出高さ
【図１】
0005978622.tif 000002
【図２】
0005978622.tif 000003
【図３】
0005978622.tif 000004
【図４】
0005978622.tif 000005